(57)【要約】【課題】色の変化で楽しく遊ぶことができる折り紙を提供するとともに、折り紙の製造時に耐水性を持たせるための水不溶剤を含浸させる工程を不要にする。【解決手段】折り紙１は、基材フィルム１１，１２と、この基材フィルム１１，１２の片面に設けられた感温変色層２０とを備えている。基材フィルム１１，１２は、折り目を形成可能かつ折り曲げ角を維持可能な可折性の樹脂又は金属からなる。感温変色層２０は、温度に応じて変色する熱変色性インキからなる。【選択図】図２
2015208376.tif 000002
【特許請求の範囲】
【請求項１】
折り目を形成可能かつ折り曲げ角を維持可能な可折性の樹脂又は金属からなる基材フィルムと、
温度に応じて変色する熱変色性インキからなり、前記基材フィルムの片面に設けられた感温変色層と、
を備えたことを特徴とする折り紙。
【請求項２】
２枚の前記基材フィルムの間に前記感温変色層が挟まれており、少なくとも一方の基材フィルムが可折性かつ透明な樹脂からなることを特徴とする請求項１に記載の折り紙。
【請求項３】
３枚の前記基材フィルムと２層の前記感温変色層とが互い違いに積層され、両側の基材フィルムがそれぞれ可折性かつ透明な樹脂からなり、中間の基材フィルムが可折性かつ非透明な金属又は樹脂からなることを特徴とする請求項１に記載の折り紙。
【発明の詳細な説明】
【技術分野】
【０００１】
本発明は、折り紙に関し、特に温度に応じて変色可能な折り紙に関する。
【背景技術】
【０００２】
通常、折り紙の素材は紙である。紙は水に弱いから風呂場などの水場での使用には不向きである。
これに対し、特許文献１には、可逆性熱変色層を少なくとも片面に設けた紙に、水不溶剤を含浸させてなる熱変色性折り紙が開示されている。
【先行技術文献】
【特許文献】
【０００３】
【特許文献１】実開昭６１−１１１４９９号公報
【発明の概要】
【発明が解決しようとする課題】
【０００４】
前掲特許文献１は、紙に耐水性を持たせるために水不溶剤を含浸させる手間を要する。
【課題を解決するための手段】
【０００５】
前記問題点を解決するために、本発明は、折り目を形成可能かつ折り曲げ角を維持可能な可折性の樹脂又は金属からなる基材フィルムと、温度に応じて変色する熱変色性インキからなり、前記基材フィルムの片面に設けられた感温変色層と、を備えたことを特徴とする。
これによって、色の変化で楽しく遊ぶことができる折り紙を提供できる。基材フィルムは、耐水性を有しているから風呂場などの水場での使用に十分耐えることができる。また、折り紙の製造の際、水不溶剤を含浸させる工程は不要である。したがって、耐水性かつ感温変色性を有する折り紙を安価に作製できる。
【０００６】
２枚の前記基材フィルムの間に前記感温変色層が挟まれており、少なくとも一方の基材フィルムが可折性かつ透明な樹脂からなることが好ましい。これによって、感温変色層を２枚の基材フィルムによって保護でき、感温変色層の剥がれや損傷を防止できる。また、少なくとも前記一方の基材フィルム側から感温変色層の温度に応じた色の変化を楽しむことができる。ここで、透明とは、可視光に対して透光性を有することを言い、好ましくは可視光に対する透過率が８０％以上、より好ましくは９０％以上であることを言う。
【０００７】
３枚の前記基材フィルムと２層の前記感温変色層とが互い違いに積層され、両側の基材フィルムがそれぞれ可折性かつ透明な樹脂からなり、中間の基材フィルムが可折性かつ非透明な金属又は樹脂からなることが好ましい。これによって、折り紙の両面の温度に応じた色、絵柄、模様等を互いに異ならせることができ、折り紙の興趣性を一層高めることができる。しかも、各感温変色層の剥がれや損傷を防止できる。ここで、非透明とは、可視光に対して透光性をほとんど有しないことを言い、好ましくは可視光に対する透過率が１０％以下、より好ましくは１％以下であることを言う。
【発明の効果】
【０００８】
本発明によれば、風呂場などの水場でも色の変化で楽しく遊ぶことができる折り紙を提供できる。この折り紙は、製造の際、水不溶剤を含浸させる工程が不要である。よって、耐水性かつ感温変色性の折り紙を安価に作製できる。
【図面の簡単な説明】
【０００９】
【図１】図１は、本発明の第１実施形態に係る折り紙を、その一部分を折り曲げた状態で示す平面図である。
【図２】図２は、図１のＩＩ−ＩＩ線に沿う、上記折り紙の断面図である。
【図３】図３は、図１のＩＩＩ−ＩＩＩ線に沿う、上記折り紙の断面図である。
【図４】図４は、本発明の第２実施形態に係る折り紙の断面図である。
【発明を実施するための形態】
【００１０】
以下、本発明の実施形態を図面にしたがって説明する。
図１〜図３は、本発明の第１実施形態を示したものである。図２に示すように、折り紙１は、２枚の基材フィルム１１，１２と、感温変色層２０とを備えている。図１に示すように、２枚の基材フィルム１１，１２は、同一形状（四角形）の薄紙状になっている。これら基材フィルム１１，１２の材質としては、紙と同様の可折性を有し、かつ透明な樹脂が用いられている。図１及び図３に示すように、可折性とは、折り目１ａを形成でき、かつその折り目１ａの折り曲げ角を維持可能な性質を言う。好ましくは、基材フィルム１１，１２は、３６０度近くまで折り曲げることができ、かつ３６０度近い折り曲げ角を維持可能である。なお、「折り曲げ角を維持可能」とは、基材フィルム１１，１２が折り曲げ時の角度を折り曲げ力解除後もそのまま完全に維持するのに限られず、折り曲げ時の角度から数度〜数十度程度の範囲内（好ましくは１０度以内、より好ましくは５度以内）で展伸方向に戻る場合をも含む。
【００１１】
このような基材フィルム１１，１２の樹脂材質として、例えば特開平０７−１４５２５７等に開示された微細空洞を多数含有するポリエステル系樹脂が挙げられる。あるいは、基材フィルム１１，１２としてセロファンを用いてもよい。基材フィルム１１，１２は、樹脂製であるから、十分な耐水性を有している。基材フィルム１１，１２の厚さは、例えば１０μｍ〜５０μｍ程度であり、好ましくは３０μｍ程度である。
【００１２】
図２に示すように、２枚の基材フィルム１１，１２の間に感温変色層２０が挟まれている。言い換えると、各基材フィルム１１，１２における片面（他方の基材フィルムを向く面）に感温変色層２０が設けられている。感温変色層２０は、温度に応じて変色する性質を有している。感温変色層２０としては、電子供与性呈色性有機化合物、電子受容性化合物等を含む公知の熱変色性インクを用いることができる（例えば特許文献１等参照）。感温変色層２０が変色する温度領域は、例えば１０℃程度〜５０℃程度である。この温度領域内のある温度付近より低温側と高温側とでは感温変色層２０の色が異なる。変色は、好ましくは可逆的であるが、不可逆的であってもよい。
【００１３】
感温変色層２０は、一方（例えば図２において下側）の基材フィルム１２の内側面（上面）に被膜されている。好ましくは、基材フィルム１２の全面に感温変色層２０が被膜されている。感温変色層２０の被膜方法としては、例えばグラビア印刷が用いられている。一色刷りでもよく、多色刷りでもよい。さらには、感温変色層２０によって模様や図柄等を描いてもよい。
【００１４】
感温変色層２０と他方（例えば図２において上側）の基材フィルム１１との間には、透明な接着剤層３０が介在されている。接着剤層３０によって感温変色層２０と基材フィルム１１とが接着されている。接着剤層３０としては、例えば透明なウレタン系接着剤が用いられているが、これに限られるものではない。
【００１５】
前記の折り紙１によれば、製造時において基材フィルム１１，１２に水不溶剤を含浸させる工程は不要である。これにより、折り紙１を安価に作製できる。
折り紙１は、前記のような水不溶剤の含浸工程を行なわなくても十分な耐水性を有しているから、風呂場などの水場でも十分に使用することができる。
この折り紙１を風呂場の温水に漬けたり冷水に漬けたりすると、感温変色層２０が変色する。これによって、折り紙１の楽しさを増大させることができ、折り紙１の付加価値を高めることができる。
２枚の基材フィルム１１，１２を共に透明にすることによって、どちら側からでも感温変色層２０を見ることができ、温度に応じた変色を楽しむことができる。接着剤層３０は透明であるから、感温変色層２０が外部から見えにくくなることはない。
さらに、感温変色層２０を２枚の基材フィルム１１，１２にて挟むことによって保護することができる。したがって、感温変色層２０の剥がれや損傷を防止することができる。
【００１６】
次に、本発明の他の実施形態を説明する。以下の実施形態において既述の形態と重複する構成に関しては図面に同一符号を付して説明を簡略化する。
図４は、本発明の第２実施形態を示したものである。第２実施形態の折り紙１は、３枚の基材フィルム１１，１２，１３と、２層の感温変色層２１，２２とを有している。これら基材フィルム１１〜１３及び感温変色層２１，２２が互い違いに積層されている。
【００１７】
詳細には、図４において、上側の基材フィルム１１の内側面（下面）に感温変色層２１がグラビア印刷などにて被膜され、下側の基材フィルム１２の内側面（上面）に感温変色層２２がグラビア印刷などにて被膜されている。中間の基材フィルム１３の両面がそれぞれ接着剤層３０を介して感温変色層２１，２２と接着されている。なお、中間の基材フィルム１３の片面又は両面に感温変色層２１又は２２をグラビア印刷などにて被膜するとともに、この感温変色層２１又は２２と基材フィルム１１又は１２とを接着剤層３０にて接着してもよい。
【００１８】
上下両側の基材フィルム１１，１２の材質は、第１実施形態と同様であり、紙と同様の可折性を有し、かつ透明な樹脂にて構成されている。一方、中間の基材フィルム１３は、アルミ箔（金属フィルム）にて構成されている。したがって、基材フィルム１３は非透明である。アルミ箔は可折性を有している。
【００１９】
２つの感温変色層２１，２２の材質は、第１実施形態の感温変色層２０と同様に、温度に応じて変色する熱変色性インキにて構成されているが、その色彩、模様等は互いに異なっている。
また、接着剤層３０の材質は、第１実施形態と同様である。
【００２０】
第２実施形態によれば、中間の第３基材フィルム１３を挟んで両側の感温変色層２１，２２を、それぞれ透明な基材フィルム１１，１２を通して外部から見ることができる。これら感温変色層２１，２２が温度に応じて別々に変色する。これによって、折り紙１の両面における色、絵柄、模様等の温度に応じた変化を互いに異ならせることができ、折り紙１の興趣性を一層高めることができる。
しかも、中間の基材フィルム１３がアルミ箔にて構成されているため、折り紙１をメタリック調にすることができる。例えば、感温変色層２１又は２２が黄色であると、折り紙１を金色に見せることができる。
【００２１】
本発明は、前記実施形態に限られず、その趣旨を逸脱しない範囲内で種々の改変をなすことができる。
例えば、折り紙１の基材フィルムが１枚だけであってもよい。この１枚の基材フィルムの片面に被膜された感温変色層が露出されていてもよい。この１枚の基材フィルムは、透明でもよく、白色、その他の有色で非透明でもよく、樹脂フィルムに限られず、アルミ箔などの金属にて構成されていてもよい。
第１実施形態において、２枚の基材フィルム１１，１２のうち少なくとも一方が透明であればよく、他方の基材フィルムは白色、その他の有色で非透明であってもよい。この他方の基材フィルムがアルミ箔などの金属にて構成されていてもよい。
第２実施形態において、中間の基材フィルム１３が、アルミ箔などの金属フィルムに代えて、可折性を有する樹脂にて構成されていてもよく、さらには白色、その他の有色で非透明の樹脂にて構成されていてもよい。
【産業上の利用可能性】
【００２２】
本発明は、折り紙の製造分野に適用可能である。
【符号の説明】
【００２３】
１      折り紙
１１，１２，１３    基材フィルム
２０，２１，２２  感温変色層
３０    接着剤層
【図１】
2015208376.tif 000003
【図２】
2015208376.tif 000004
【図３】
2015208376.tif 000005
【図４】
2015208376.tif 000006